(57)【要約】【課題】便器との間の隙間を小さくして一体感を向上できる衛生洗浄装置を提供する。【解決手段】便器の後部に固定されるベースプレートと、ベースプレートの上に固定されるケースプレートと、ケースプレートの上に固定されるケースカバーと、ケースプレートの後方においてベースプレートに固定される軸支ユニットと、背面カバーと、を備え、ベースプレートは、前部および後部において、それぞれ、便器に対するベースプレートの位置を調整可能な第１位置調整手段および第２位置調整手段を介して便器に固定され、ケースプレートは、ベースプレートに対するケースプレートの位置を調整可能な第３位置調整手段を介してベースプレートに固定され、軸支ユニットと背面カバーとの間には、ベースプレートに対する背面カバーの位置を調整可能な第４位置調整手段が設けられ、背面カバーは、第４位置調整手段に取り付けられる。【選択図】図２
2018123621.tif 000002
【特許請求の範囲】
【請求項１】
便器の後部に固定されるベースプレートと、
人体の局部を洗浄する洗浄機能部が搭載され、前記ベースプレートの上に固定されるケースプレートと、
前記洗浄機能部を上方から覆い、前記ケースプレートの上に固定されるケースカバーと、
便座が軸支される第１軸支部および便蓋が軸支される第２軸支部を有し、前記ケースプレートの後方において前記ベースプレートに固定される軸支ユニットと、
前記軸支ユニットの後方に設けられる背面カバーと、
を備え、
前記ベースプレートは、前部および後部において、それぞれ、前記便器に対する前記ベースプレートの位置を調整可能な第１位置調整手段および第２位置調整手段を介して前記便器に固定され、
前記ケースプレートは、前記ベースプレートに対する前記ケースプレートの位置を調整可能な第３位置調整手段を介して前記ベースプレートに固定され、
前記軸支ユニットと前記背面カバーとの間には、前記ベースプレートに対する前記背面カバーの位置を調整可能な第４位置調整手段が設けられ、前記背面カバーは、前記第４位置調整手段に取り付けられる衛生洗浄装置。
【請求項２】
前記第１位置調整手段および前記第２位置調整手段は、さらに、前記便器に対する前記ベースプレートの前後方向における傾きを調整可能である請求項１記載の衛生洗浄装置。
【請求項３】
前記第１位置調整手段および前記第２位置調整手段は、さらに、前記便器に対する前記ベースプレートの左右方向における傾きを調整可能である請求項１または２に記載の衛生洗浄装置。
【請求項４】
便座が軸支される第１軸支部と便蓋が軸支される第２軸支部とを有する軸支ユニットが固定されたベースプレートを、便器に対する位置を調整しつつ、前記便器の後部に固定し、
人体の局部を洗浄する洗浄機能部が搭載されるケースプレートを、前記ベースプレートに対する位置を調整しつつ、前記軸支ユニットの前方において前記ベースプレートの上に固定し、
前記洗浄機能部を上方から覆うケースカバーを、前記ケースプレートの上に固定し、
背面カバーを、前記ベースプレートに対する位置を調整しつつ、前記軸支ユニットの後方に設ける衛生洗浄装置の組み立て方法。
【請求項５】
前記便器の前部および後部に、それぞれ、前記便器に対する位置を調整しつつ第１位置調整手段および第２位置調整手段を固定し、前記第１位置調整手段および前記第２位置調整手段を介して前記便器に前記ベースプレートを固定することで、前記ベースプレートの前記便器に対する位置を調整する請求項４記載の衛生洗浄装置の組み立て方法。
【請求項６】
前記ベースプレートは、前記第１位置調整手段および前記第２位置調整手段によって、前記便器に対する前記ベースプレートの前後方向および左右方向における傾きが調整される請求項５記載の衛生洗浄装置の組み立て方法。
【請求項７】
前記軸支ユニットの前方において、前記ベースプレートの上に前記ベースプレートに対する位置を調整しつつ第３位置調整手段を固定し、前記第３位置調整手段を介して前記ベースプレートに前記ケースプレートを固定することで、前記ケースプレートの前記ベースプレートに対する位置を調整する請求項４〜６のいずれか１つに記載の衛生洗浄装置の組み立て方法。
【請求項８】
前記軸支ユニットの後方において、前記ベースプレートの上に前記ベースプレートに対する位置を調整しつつ第４位置調整手段を固定し、前記第４位置調整手段に前記背面カバーを取り付けることで、前記背面カバーの前記ベースプレートに対する位置を調整する請求項４〜７のいずれか１つに記載の衛生洗浄装置の組み立て方法。
【発明の詳細な説明】
【技術分野】
【０００１】
本発明の態様は、一般的に、衛生洗浄装置およびその組み立て方法に関する。
【背景技術】
【０００２】
特許文献１には、ベース部材や、機能部品、ヒンジ機構等の便器付属品が便器に設けられたトイレ装置が開示されている。このトイレ装置では、各便器付属品が別体で構成されており、便器に対してこれらの便器付属品を固定することでトイレ装置が構成されている。
【先行技術文献】
【特許文献】
【０００３】
【特許文献１】特開２０１６−４３１３８号公報
【発明の概要】
【発明が解決しようとする課題】
【０００４】
便器付属品を便器に固定する際、便器と各便器付属品との間の隙間が大きいと、便器と便器付属品との一体感が損なわれ、見栄えが悪くなる。従って、便器付属品を便器に固定する際に、各便器付属品は、便器との間の隙間が小さくなるように固定できることが望ましい。
本発明は、かかる課題の認識に基づいてなされたものであり、便器との間の隙間を小さくして一体感を向上できる衛生洗浄装置を提供することを目的とする。
【課題を解決するための手段】
【０００５】
第１の発明は、便器の後部に固定されるベースプレートと、人体の局部を洗浄する洗浄機能部が搭載され、前記ベースプレートの上に固定されるケースプレートと、前記洗浄機能部を上方から覆い、前記ケースプレートの上に固定されるケースカバーと、便座が軸支される第１軸支部および便蓋が軸支される第２軸支部を有し、前記ケースプレートの後方において前記ベースプレートに固定される軸支ユニットと、前記軸支ユニットの後方に設けられる背面カバーと、を備え、前記ベースプレートは、前部および後部において、それぞれ、前記便器に対する前記ベースプレートの位置を調整可能な第１位置調整手段および第２位置調整手段を介して前記便器に固定され、前記ケースプレートは、前記ベースプレートに対する前記ケースプレートの位置を調整可能な第３位置調整手段を介して前記ベースプレートに固定され、前記軸支ユニットと前記背面カバーとの間には、前記ベースプレートに対する前記背面カバーの位置を調整可能な第４位置調整手段が設けられ、前記背面カバーは、前記第４位置調整手段に取り付けられる衛生洗浄装置である。
【０００６】
この衛生洗浄装置によれば、第１位置調整手段乃至第４位置調整手段によって、ベースプレートの便器に対する位置、及び、ケースプレートと背面カバーのベースプレートに対する位置を調整することができる。これらの位置を調整することで、衛生洗浄装置と便器との間の隙間を小さくし、衛生洗浄装置の便器との一体感を高め、見栄えを良くすることができる。
【０００７】
第２の発明は、第１の発明において、前記第１位置調整手段および前記第２位置調整手段は、さらに、前記便器に対する前記ベースプレートの前後方向における傾きを調整可能である衛生洗浄装置である。
【０００８】
この衛生洗浄装置によれば、便器に対するベースプレートの前後方向における傾きを調整できるため、便器との間に生じる隙間をより小さくし、見栄えをさらに良くすることができる。
【０００９】
第３の発明は、第１または第２の発明において、前記第１位置調整手段および前記第２位置調整手段は、さらに、前記便器に対する前記ベースプレートの左右方向における傾きを調整可能である衛生洗浄装置である。
【００１０】
この衛生洗浄装置によれば、便器に対するベースプレートの左右方向における傾きを調整できるため、便器との間に生じる隙間をより小さくし、見栄えをさらに良くすることができる。
【００１１】
第４の発明は、便座が軸支される第１軸支部と便蓋が軸支される第２軸支部とを有する軸支ユニットが固定されたベースプレートを、便器に対する位置を調整しつつ、前記便器の後部に固定し、人体の局部を洗浄する洗浄機能部が搭載されるケースプレートを、前記ベースプレートに対する位置を調整しつつ、前記軸支ユニットの前方において前記ベースプレートの上に固定し、前記洗浄機能部を上方から覆うケースカバーを、前記ケースプレートの上に固定し、背面カバーを、前記ベースプレートに対する位置を調整しつつ、前記軸支ユニットの後方に設ける衛生洗浄装置の組み立て方法である。
【００１２】
この衛生洗浄装置の組み立て方法によれば、ベースプレートの便器に対する位置およびケースプレートと背面カバーのベースプレートに対する位置を調整しつつ、衛生洗浄装置を組み立てていくことができる。このため、衛生洗浄装置と便器との間に生じる隙間を小さくし、便器との一体感があり、見栄えが良い衛生洗浄装置を組み立てることが可能である。
【００１３】
第５の発明は、第４の発明において、前記便器の前部および後部に、それぞれ、前記便器に対する位置を調整しつつ第１位置調整手段および第２位置調整手段を固定し、前記第１位置調整手段および前記第２位置調整手段を介して前記便器に前記ベースプレートを固定することで、前記ベースプレートの前記便器に対する位置を調整する衛生洗浄装置の組み立て方法である。
【００１４】
この衛生洗浄装置の組み立て方法によれば、第１位置調整手段および第２位置調整手段を用いることで、ベースプレートの便器に対する位置をより容易かつ正確に調整することができる。
【００１５】
第６の発明は、第５の発明において、前記ベースプレートは、前記第１位置調整手段および前記第２位置調整手段によって、前記便器に対する前記ベースプレートの前後方向および左右方向における傾きが調整される衛生洗浄装置の組み立て方法である。
【００１６】
この衛生洗浄装置の組み立て方法によれば、ベースプレートの便器に対する傾きが調整されるため、衛生洗浄装置と便器との間に生じる隙間をより小さくし、衛生洗浄装置の便器との一体感をより高めることができる。
【００１７】
第７の発明は、第４〜第６のいずれかの発明において、前記軸支ユニットの前方において、前記ベースプレートの上に前記ベースプレートに対する位置を調整しつつ第３位置調整手段を固定し、前記第３位置調整手段を介して前記ベースプレートに前記ケースプレートを固定することで、前記ケースプレートの前記ベースプレートに対する位置を調整する衛生洗浄装置の組み立て方法である。
【００１８】
この衛生洗浄装置の組み立て方法によれば、第３位置調整手段を用いることで、ケースプレートのベースプレートに対する位置をより容易かつ正確に調整することができる。
【００１９】
第８の発明は、第４〜第７のいずれかの発明において、前記軸支ユニットの後方において、前記ベースプレートの上に前記ベースプレートに対する位置を調整しつつ第４位置調整手段を固定し、前記第４位置調整手段に前記背面カバーを取り付けることで、前記背面カバーの前記ベースプレートに対する位置を調整する衛生洗浄装置の組み立て方法である。
【００２０】
この衛生洗浄装置の組み立て方法によれば、第４位置調整手段を用いることで、背面カバーのベースプレートに対する位置をより容易かつ正確に調整することができる。
【発明の効果】
【００２１】
本発明の態様によれば、便器との間の隙間を小さくして一体感を向上できる衛生洗浄装置が提供される。
【図面の簡単な説明】
【００２２】
【図１】実施形態に係る衛生洗浄装置を有するトイレ装置を表す斜視図である。
【図２】実施形態に係る衛生洗浄装置の構成要素の一部を分離して表した斜視図である。
【図３】実施形態に係る衛生洗浄装置の構成要素の一部を分離して表した斜視図である。
【図４】実施形態に係る衛生洗浄装置の組み立て工程を表す工程斜視図である。
【図５】実施形態に係る衛生洗浄装置の組み立て工程を表す工程斜視図である。
【図６】実施形態に係る衛生洗浄装置の組み立て工程を表す工程断面図である。
【発明を実施するための形態】
【００２３】
以下、本発明の実施形態について図面を参照しつつ説明する。なお、各図面中、同様の構成要素には同一の符号を付して詳細な説明は適宜省略する。
また、本願明細書においては、発明の説明のために「上方」、「下方」、「前方」、「後方」、「左側方」、および「右側方」を用いるが、これらは、後述する便座３１に着座した使用者からみた場合を基準とするものである。
【００２４】
図１は、実施形態に係る衛生洗浄装置を有するトイレ装置１００を表す斜視図である。
図１（ａ）は、便座３１を下げ、便蓋３２を閉めたときの様子を表している。図１（ｂ）は、便座３１を下げ、便蓋３２を開けたときの様子を表している。図１（ｃ）は、便座３１を上げ、便蓋３２を開けたときの様子を表している。
【００２５】
図１（ａ）〜図１（ｃ）に表したように、トイレ装置１００は、洋式腰掛便器２（以下、単に便器２という）と、その上に設けられた衛生洗浄装置１と、を有する。衛生洗浄装置１は、便座３１および便蓋３２を有する。
【００２６】
便座３１の後端は、第１軸支部２１によって便器２に軸支され、便蓋３２の後端は、第２軸支部２２によって便器２に軸支されている。第１軸支部２１および第２軸支部２２を介して便座３１および便蓋３２が便器２に対して回動することで、便座３１の上下動作および便蓋３２の開閉動作が行われる。
【００２７】
図２および図３は、実施形態に係る衛生洗浄装置１の構成要素の一部を分離して表した斜視図である。なお、図２では、便座３１および便蓋３２が省略されている。
図２および図３に表したように、衛生洗浄装置１は、ベースプレート１０、ケースプレート１２、カバープレート１４、背面カバー１６、および軸支ユニット２０を有する。
【００２８】
ベースプレート１０は、剛性を有する金属製の板である。図２に表したように、ベースプレート１０の前部は、便器２の開口２ａの後端付近において、第１位置調整手段４１を介して便器２に固定される。ベースプレート１０の後部は、便器２の後端付近において、第２位置調整手段４２を介して便器２に固定される。
【００２９】
ベースプレート１０の後部において、ベースプレート１０の上には軸支ユニット２０が固定される。軸支ユニット２０は、便座３１が軸支される第１軸支部２１と、便蓋３２が軸支される第２軸支部２２と、を有する。軸支ユニット２０がベースプレート１０を介して便器２に固定されることで、第１軸支部２１および第２軸支部２２によって軸支された便座３１および便蓋３２が便器２に対して回動する。
【００３０】
ケースプレート１２は、軸支ユニット２０の前方において、第３位置調整手段４３を介してベースプレート１０の上に固定される。ケースプレート１２の上には、「おしり」などの人体の局部を洗浄するための洗浄機能部が搭載される。この他に、ケースプレート１２の上には、衛生洗浄装置１の各構成要素の動作を制御する制御部や、洗浄機能部へ供給される水を加温する熱交換器、人体の局部に風を送るための送風ユニットなどの各種機能部が適宜搭載される。
【００３１】
ケースプレート１２の下面は、ベースプレート１０の上面に当接する。また、ケースプレート１２の左側方の前端Ｅ１および右側方の前端Ｅ２は、ベースプレート１０よりも前方に位置し、便器２の開口２ａの周りに載置される。
【００３２】
便器２の左側部の上面Ｓ１および右側部の上面Ｓ２は、後方に向かうほど上方へ傾斜している。ケースプレート１２の左側部１２ａおよび右側部１２ｂは、同様に後方に向かうほど上方へ傾斜しており、便器２の上面Ｓ１およびＳ２の上に設けられる。
【００３３】
カバープレート１４は、ケースプレート１２の上に固定され、ケースプレート１２の上に搭載された機能部を上方から覆う。カバープレート１４の左側部および右側部は、それぞれ、便器２の側部の上面Ｓ１およびＳ２の上に設けられ、ケースプレート１２の側部１２ａおよび１２ｂを上方から覆う。
【００３４】
背面カバー１６は、図３に表したように、軸支ユニット２０の後方に設けられる。背面カバー１６と軸支ユニット２０との間には、第４位置調整手段４４が設けられ、第４位置調整手段４４は、ベースプレート１０に固定されている。背面カバー１６は、この第４位置調整手段４４に着脱可能に取り付けられ、軸支ユニット２０および第４位置調整手段４４を後方から覆う。背面カバー１６の表面は、背面カバー１６を取り付けた際に、便器２の後面とともに滑らかな面を形成するように構成されている。
【００３５】
ここで、図２〜図６を参照しつつ、実施形態に係る衛生洗浄装置１の組み立て方法について説明する。
図４および図５は、実施形態に係る衛生洗浄装置１の組み立て工程を表す工程斜視図である。図６は、実施形態に係る衛生洗浄装置１の組み立て工程を表す工程断面図である。
【００３６】
図４には、第１位置調整手段４１と便器２の一部（開口２ａの後端付近）の様子が表されている。第１位置調整手段４１は、矢印Ａ１に沿ってネジ等の締結具を便器２に挿入することで固定される。第１位置調整手段４１を便器２に固定するためのネジ穴は、前後方向および左右方向において、便器２のネジ穴よりも大きく形成されている。このため、便器２に対する前後方向および左右方向の位置を調整しながら、第１位置調整手段４１を便器２に固定することができる。
【００３７】
第１位置調整手段４１の前後方向における位置は、便器２の前端を基準として決定される。すなわち、第１位置調整手段４１は、この前端から前後方向において所定の距離だけ離れた位置で、便器２に固定される。また、第１位置調整手段４１は、便器２の左右方向の中心位置で便器２に固定される。
【００３８】
次に、第２位置調整手段４２を、便器２の後端付近に固定する。第２位置調整手段４２は、図５に表したように、矢印Ａ３に沿ってネジ等を便器２に挿入することで固定される。第２位置調整手段４２を便器２に固定するためのネジ穴は、左右方向において、便器２のネジ穴よりも大きく形成されている。このため、便器２に対する左右方向の位置を調整しながら、第２位置調整手段４２を便器２に固定することができる。
【００３９】
なお、この後に固定されるベースプレート１０の便器２に対する前後方向の位置は、第１位置調整手段４１によって調整される。従って、第２位置調整手段４２では、前後方向の位置を調整する必要はない。また、この結果、ベースプレート１０と第２位置調整手段４２との間で、前後方向における位置関係が変化しうる。このため、ベースプレート１０の第２位置調整手段４２と締結するためのネジ穴は、前後方向において、第２位置調整手段４２のネジ穴よりも大きく形成されている。
【００４０】
第１位置調整手段４１は、図４に表したように、スペーサ４１ａおよびワッシャＷを有する。また、第２位置調整手段４２は、図５に表したように、ワッシャＷを有する。これらの位置調整手段において、ワッシャＷは複数設けられていても良い。第１位置調整手段４１および第２位置調整手段４２が有するワッシャＷの数を変化させることで、便器２に対するベースプレート１０の上下方向の位置を調整することができる。
【００４１】
また、第１位置調整手段４１と第２位置調整手段４２との間で、ワッシャＷの数を調整することで、ベースプレート１０の前後方向における傾きを調整することも可能である。さらに、第１位置調整手段４１および第２位置調整手段４２は、それぞれ、左右方向において２か所にワッシャＷが設けられる。従って、それぞれの位置調整手段において、左右のワッシャＷの数を調整することで、ベースプレート１０の左右方向における傾きを調整することができる。
【００４２】
第１位置調整手段４１および第２位置調整手段４２の高さは、この後にケースプレート１２を設けた際、ケースプレート１２の側部１２ａおよび１２ｂと、便器２の側部の上面Ｓ１およびＳ２と、間の隙間が小さくなるように調整される。
【００４３】
第１位置調整手段４１および第２位置調整手段４２の各方向における位置調整は、それぞれ、治具を使って行うことができる。治具の構成は、衛生洗浄装置１および便器２の具体的な構造に応じて適宜変更することができる。ここでは、第１位置調整手段４１および第２位置調整手段４２の上下方向における位置調整を行うための治具のみを例示する。
【００４４】
第１位置調整手段４１および第２位置調整手段４２の上下方向における位置調整を行うための治具は、例えば、２枚の板状の部材が連接され、互いに回動可能に構成される。まず、１枚目の部材を、便器２の前端を起点として、便器２の開口２ａの周りの上面に置く。次に、２枚目の部材を、その後方の上面Ｓ１およびＳ２に置く。続いて、それぞれの部材において便器２の上面との間の隙間を調べることで、便器２の左右で高さがどの程度異なっているか調べることができる。この左右の高さの違いを補償するように、第１位置調整手段４１および第２位置調整手段４２の左右のワッシャＷの数を調整する。
【００４５】
また、２枚目の部材の上下方向における位置を基準とし、この２枚目の部材から上下方向において所定の距離だけ離れた位置に第２位置調整手段４２が固定されるように、ワッシャＷの数を調整する。ここで、ケースプレート１２の前端Ｅ１およびＥ２は、上述した通り、便器２の上面Ｓ１およびＳ２の上に載置される。このため、第２位置調整手段４２の上下方向における位置が決まると、図６に表したように、ケースプレート１２の前端Ｅ１およびＥ２が便器２に載置される部分との間で、ケースプレート１２が固定されるべき基準面Ｐが定まる。第１位置調整手段４１の上下方向における位置は、第１位置調整手段４１の上面が、この基準面Ｐに沿うように調整される。
【００４６】
次に、ベースプレート１０を、便器２に固定する。ベースプレート１０の前部は、図４に表したように、矢印Ａ５に沿って、スペーサ４１ａおよびワッシャＷを通してネジ等を便器２に挿入することで固定される。ベースプレート１０の後部は、図５に表したように、矢印Ａ７に沿って、第２位置調整手段４２にネジ等を挿入して固定される。第１位置調整手段４１および第２位置調整手段４２は、便器２に対する位置調整が既に行われているため、これらの位置調整手段を介してベースプレート１０を便器２に固定することで、ベースプレート１０が便器２に対して所定の位置で固定される。
【００４７】
ベースプレート１０には、軸支ユニット２０が固定され、さらに軸支ユニット２０には便座３１および便蓋３２が軸支されている。従って、ベースプレート１０を便器２に固定すると、同時に便座３１および便蓋３２も便器２に対して所定の位置で固定される。また、上述したように、第１位置調整手段４１の便器に対する位置は、便器２の前端および左右の幅を基準として調整される。こうすることで、便座３１および便蓋３２を便器２の左右方向の中心に位置させ、これらの先端を便器２の前端と一致させることができる。
【００４８】
次に、図２に表したように、第３位置調整手段４３を、軸支ユニット２０の前方においてベースプレート１０の上に固定する。第３位置調整手段４３をベースプレート１０に固定するためのネジ穴は、前後方向において、ベースプレート１０のネジ穴よりも大きく形成されている。このため、ベースプレート１０に対する前後方向の位置を調整しながら、第３位置調整手段４３をベースプレート１０に固定することができる。第３位置調整手段４３は、便器２の開口２ａの後端を基準とし、この後端から所定の距離だけ離れた位置でベースプレート１０に固定される。
【００４９】
次に、洗浄機能部などの不図示の機能部が搭載されたケースプレート１２を、ベースプレート１０の上に固定する。ケースプレート１２の底面には、第３位置調整手段４３が嵌合する凹部が形成されている。この凹部を第３位置調整手段４３と嵌合させつつ、ケースプレート１２をベースプレート１０にネジ等で固定する。第３位置調整手段４３を介してケースプレート１２をベースプレート１０に固定することで、便器２の開口２ａの後端に対してケースプレート１２が所定の位置に固定される。これにより、ケースプレート１２上の洗浄機能部が開口２ａ内に進出した際、便器２に対する洗浄機能部の位置のばらつきを小さくし、衛生洗浄装置１の使い勝手を向上させることができる。
【００５０】
また、このとき、ベースプレート１０の前後方向および左右方向における傾きは、第１位置調整手段４１および第２位置調整手段４２によって調整されている。このため、ベースプレート１０の上にケースプレート１２を固定する際、ケースプレート１２の側部１２ａおよび１２ｂを、便器２の上面Ｓ１およびＳ２に沿わせて設けることができ、これらの間の隙間を小さくすることができる。
【００５１】
次に、カバープレート１４をケースプレート１２の上にネジ等で固定する。カバープレート１４によって、ケースプレート１２の上に搭載された機能部が上方から覆われる。
【００５２】
次に、図３に表したように、軸支ユニット２０の後方において、ベースプレート１０の上に第４位置調整手段４４を固定する。第４位置調整手段４４をベースプレート１０に固定するためのネジ穴は、前後方向において、ベースプレート１０のネジ穴よりも大きく形成されている。このため、ベースプレート１０に対する前後方向の位置を調整しながら、第４位置調整手段４４をベースプレート１０に固定することができる。
【００５３】
第４位置調整手段４４は、便器２の後面を基準として調整される。具体的には、背面カバー１６の表面と便器２の後面との間の段差を小さくし、これらの面が滑らかに連なるように、第４位置調整手段４４の前後方向における位置を調整する。
【００５４】
第４位置調整手段４４をベースプレート１０に固定した後は、第４位置調整手段４４の後方に背面カバー１６が取り付けられる。すなわち、背面カバー１６が、第４位置調整手段４４を介してベースプレート１０に取り付けられる。
【００５５】
以上の組み立て工程により、実施形態に係る衛生洗浄装置１が得られる。また、以上の組み立て工程により、便器２の上に実施形態に係る衛生洗浄装置１が組み立てられたトイレ装置１００が得られる。
なお、図２〜図６に表した第１位置調整手段４１〜第４位置調整手段４４は一例にすぎず、これらの形状や構成は、衛生洗浄装置１および便器２の構成や形状に応じて適宜変更することが可能である。
【００５６】
以上の通り、本実施形態に係る衛生洗浄装置１およびその組み立て方法では、第１位置調整手段４１〜第４位置調整手段４４によって、ベースプレート１０の便器２に対する位置、及び、ケースプレート１２と背面カバー１６のベースプレート１０に対する位置を調整することができる。これらの位置を調整することで、衛生洗浄装置１と便器２との間の隙間を小さくし、衛生洗浄装置１の便器２との一体感を高め、見栄えを良くすることができる。
【００５７】
さらに、第１位置調整手段４１および第２位置調整手段４２によって、便器２に対するベースプレート１０の前後方向および左右方向における傾きを調整できることで、衛生洗浄装置１と便器２との間の隙間をより小さくし、衛生洗浄装置１の見栄えをより良くすることができる。また、各構成要素の位置調整に第１位置調整手段４１〜第４位置調整手段４４を用いることで、位置調整をより容易かつ正確に行うことが可能である。
【００５８】
衛生洗浄装置１の各構成要素と便器２との間の隙間については、便器２が大型化し、形状が複雑になるほど大きくなる。これは、便器２の大型化や形状の複雑化に伴い、便器２の大きさや形状のばらつきが増大するためである。例えば、図１〜図３に表したように、便器２の側部が後方に向かうほど追り上がっているような場合、便器２の大きさや形状のばらつきも増大する。
【００５９】
しかし、本実施形態によれば、衛生洗浄装置１と便器２との間の隙間を小さくできる。このため、本実施形態に係る発明は、図１〜図３に表したような便器２に対して衛生洗浄装置１を設ける場合に特に有効である。また、便器２の大きさや形状のばらつきは、便器２が陶器から構成される場合により顕著となる。従って、本実施形態に係る発明は、陶器製の便器２に対して特に有効である。
【００６０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置１が備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６１】
１ 衛生洗浄装置、  ２ 便器、  ２ａ 開口、  １０ ベースプレート、  １２ ケースプレート、  １２ａ 左側部、  １２ｂ 右側部、  １４ カバープレート、  １６ 背面カバー、  ２０ 軸支ユニット、  ２１ 第１軸支部、  ２２ 第２軸支部、  ３１ 便座、  ３２ 便蓋、  ４１ 第１位置調整手段、  ４１ａ スペーサ、  ４２ 第２位置調整手段、  ４３ 第３位置調整手段、  ４４ 第４位置調整手段、  １００ トイレ装置、  Ａ１、Ａ３、Ａ５、Ａ７ 矢印、  Ｅ１、Ｅ２ 前端、  Ｓ１、Ｓ２ 上面、  Ｐ 基準面、  Ｗ ワッシャ
【図１】
2018123621.tif 000003
【図２】
2018123621.tif 000004
【図３】
2018123621.tif 000005
【図４】
2018123621.tif 000006
【図５】
2018123621.tif 000007
【図６】
2018123621.tif 000008
【手続補正書】
【提出日】平成30年3月2日(2018.3.2)
【手続補正１】
【補正対象書類名】特許請求の範囲
【補正対象項目名】請求項１
【補正方法】変更
【補正の内容】
【請求項１】
便器の後部に固定されるベースプレートと、
人体の局部を洗浄する洗浄機能部が搭載され、前記ベースプレートの上に固定されるケースプレートと、
前記洗浄機能部を上方から覆い、前記ケースプレートの上に固定されるカバープレートと、
便座が軸支される第１軸支部および便蓋が軸支される第２軸支部を有し、前記ケースプレートの後方において前記ベースプレートに固定される軸支ユニットと、
前記軸支ユニットの後方に設けられる背面カバーと、
を備え、
前記ベースプレートは、前部および後部において、それぞれ、前記便器に対する前記ベースプレートの位置を調整可能な第１位置調整手段および第２位置調整手段を介して前記便器に固定され、
前記ケースプレートは、前記ベースプレートに対する前記ケースプレートの位置を調整可能な第３位置調整手段を介して前記ベースプレートに固定され、
前記軸支ユニットと前記背面カバーとの間には、前記ベースプレートに対する前記背面カバーの位置を調整可能な第４位置調整手段が設けられ、前記背面カバーは、前記第４位置調整手段に取り付けられる衛生洗浄装置。
【手続補正２】
【補正対象書類名】特許請求の範囲
【補正対象項目名】請求項４
【補正方法】変更
【補正の内容】
【請求項４】
便座が軸支される第１軸支部と便蓋が軸支される第２軸支部とを有する軸支ユニットが固定されたベースプレートを、便器に対する位置を調整しつつ、前記便器の後部に固定し、
人体の局部を洗浄する洗浄機能部が搭載されるケースプレートを、前記ベースプレートに対する位置を調整しつつ、前記軸支ユニットの前方において前記ベースプレートの上に固定し、
前記洗浄機能部を上方から覆うカバープレートを、前記ケースプレートの上に固定し、
背面カバーを、前記ベースプレートに対する位置を調整しつつ、前記軸支ユニットの後方に設ける衛生洗浄装置の組み立て方法。
【手続補正３】
【補正対象書類名】明細書
【補正対象項目名】０００５
【補正方法】変更
【補正の内容】
【０００５】
第１の発明は、便器の後部に固定されるベースプレートと、人体の局部を洗浄する洗浄機能部が搭載され、前記ベースプレートの上に固定されるカバープレートと、前記洗浄機能部を上方から覆い、前記ケースプレートの上に固定されるケースカバーと、便座が軸支される第１軸支部および便蓋が軸支される第２軸支部を有し、前記ケースプレートの後方において前記ベースプレートに固定される軸支ユニットと、前記軸支ユニットの後方に設けられる背面カバーと、を備え、前記ベースプレートは、前部および後部において、それぞれ、前記便器に対する前記ベースプレートの位置を調整可能な第１位置調整手段および第２位置調整手段を介して前記便器に固定され、前記ケースプレートは、前記ベースプレートに対する前記ケースプレートの位置を調整可能な第３位置調整手段を介して前記ベースプレートに固定され、前記軸支ユニットと前記背面カバーとの間には、前記ベースプレートに対する前記背面カバーの位置を調整可能な第４位置調整手段が設けられ、前記背面カバーは、前記第４位置調整手段に取り付けられる衛生洗浄装置である。
【手続補正４】
【補正対象書類名】明細書
【補正対象項目名】００１１
【補正方法】変更
【補正の内容】
【００１１】
第４の発明は、便座が軸支される第１軸支部と便蓋が軸支される第２軸支部とを有する軸支ユニットが固定されたベースプレートを、便器に対する位置を調整しつつ、前記便器の後部に固定し、人体の局部を洗浄する洗浄機能部が搭載されるケースプレートを、前記ベースプレートに対する位置を調整しつつ、前記軸支ユニットの前方において前記ベースプレートの上に固定し、前記洗浄機能部を上方から覆うカバープレートを、前記ケースプレートの上に固定し、背面カバーを、前記ベースプレートに対する位置を調整しつつ、前記軸支ユニットの後方に設ける衛生洗浄装置の組み立て方法である。
【手続補正５】
【補正対象書類名】明細書
【補正対象項目名】００４６
【補正方法】変更
【補正の内容】
【００４６】
次に、ベースプレート１０を、便器２に固定する。ベースプレート１０の前部は、図４に表したように、矢印Ａ５に沿って、スペーサ４１ａおよびワッシャＷを通して第１位置調整手段４１にネジ等を挿入することで固定される。ベースプレート１０の後部は、図５に表したように、矢印Ａ７に沿って、第２位置調整手段４２にネジ等を挿入して固定される。第１位置調整手段４１および第２位置調整手段４２は、便器２に対する位置調整が既に行われているため、これらの位置調整手段を介してベースプレート１０を便器２に固定することで、ベースプレート１０が便器２に対して所定の位置で固定される。